(57)【要約】  移動通信端末のウェブページ（ＷＰ）・マッチングに関する。情報提供モジュールは、アクセス要求情報に従って、表示ＷＰの詳細情報を形成し、且つこれを策略モジュールに送信する。策略モジュールは、表示ＷＰの詳細情報を策略規則とマッチングして、表示ＷＰのクライアント化規則パラメータを獲得し、且つこれを内容獲得モジュールに送信する。内容獲得モジュールは、内容サービスサイトの内容サーバーと交互して、移動通信端末のＷＰ情報を獲得する。ＷＰ形成モジュールは、クライアント化規則パラメータとＷＰ情報に従って、閲覧ＷＰを形成する。アクセスモジュールは、閲覧ＷＰを移動通信端末に送信する。本発明は、アクセス要求情報に対して処理し、且つ対応するサービス策略とマッチングして、閲覧ＷＰに対して便利的に最適化して、移動通信端末とマッチングすることができるだけではなく、ユーザーの個性化要求を満足することもできる。
2008532110.tif 000002
【特許請求の範囲】
【請求項１】
移動通信端末のウェブページ・マッチング方法であって、
移動通信システム中のモバイルポータルサイトに、アクセスモジュール、情報提供モジュール、策略モジュール、内容獲得モジュール、ウェブページ形成モジュールが設置され、その中で、情報提供モジュール中には、少なくとも移動通信端末情報ベースが設けられ、上記移動通信端末が移動通信システム中のアクセスシステムを通じてモバイルポータルサイトにアクセス要求情報を送信する時、下記のステップにより、上記移動通信端末の表示ウェブページに対してマッチングする：
ステップ1：モバイルポータルサイトのアクセスモジュールが上記アクセス要求情報を受信した後、モバイルポータルサイトの情報提供モジュールは、上記アクセス要求情報中のUA PROFILEパラメータに従って、表示ウェブページの詳細情報を形成し、且つ当該詳細情報を上記策略モジュールに送信する；
ステップ2：上記策略モジュールは、上記表示ウェブページの詳細情報を、上記策略モジュール中に記憶されている策略規則とマッチングして、上記表示ウェブページのクライアント化規則パラメータを獲得し、且つ当該クライアント化規則パラメータを内容獲得モジュールに送信する；
ステップ3：上記内容獲得モジュールは、クライアント化規則パラメータに従って、内容サービスサイトの内容サーバーと交互し、上記内容サーバーから上記移動通信端末のウェブページ情報を獲得する；
ステップ4：上記ウェブページ形成モジュールは、上記クライアント化規則パラメータと上記ウェブページ情報に従って、閲覧ウェブページを形成する；
ステップ5：アクセスモジュールは、上記閲覧ウェブページを上記移動通信端末に送信する、ことを特徴とする移動通信端末のウェブページ・マッチング方法。
【請求項２】
上記アクセス要求情報の中に、更にユーザー情報が含まれ、情報提供モジュールの中に、更にユーザー情報ベースが設けられ；上記情報提供モジュールは、表示ウェブページの詳細情報を形成する時、アクセス要求情報中のユーザー情報に従って、上記ユーザー情報ベースの中から上記ユーザー情報と対応するパラメータを取り出し、且つ当該パラメータを上記表示ウェブページの詳細情報の中に加入する、ことを特徴とする請求項1に記載の移動通信端末のウェブページ・マッチング方法。
【請求項３】
上記アクセス要求情報の中に、更にユーザー設定パラメータが含まれ、当該ユーザー設定情報は、表示ウェブページの指定情報、表示ウェブページの指定展示方式パラメータからなり、上記情報提供モジュールは、上記ユーザー設定パラメータを上記表示ウェブページの詳細情報の中に加入する、ことを特徴とする請求項1又は2に記載の移動通信端末のウェブページ・マッチング方法。
【請求項４】
上記情報提供モジュールに、更にサービス情報ベースが設けられ、上記情報提供モジュールは、ユーザー情報とユーザー設定パラメータに従って、サービス情報ベースの中に記憶されているブランド策略情報、マーケティングサービス情報、最初ウェブページ情報、ネットワーク配置情報と更にマッチングして、サービス特徴情報を獲得し、且つ、上記サービス特徴情報を上記表示ウェブページの詳細情報の中に加入する、ことを特徴とする請求項3に記載の移動通信端末のウェブページ・マッチング方法。
【請求項５】
上記情報提供モジュールは、上記ユーザー情報に従って、移動通信システム中の管理システムと交互して、上記移動通信端末に対してユーザー承認と計費を行う、ことを特徴とする請求項2に記載の移動通信端末のウェブページ・マッチング方法。
【請求項６】
上記ユーザー情報は、上記移動通信端末或いはアクセスゲートウェーにより形成する、ことを特徴とする請求項2に記載の移動通信端末のウェブページ・マッチング方法。
【請求項７】
上記策略モジュール中に記載されている策略規則には、内容規則データと表示規則データが含まれて、上記策略モジュールは情報提供モジュールから送信した表示ウェブページの詳細情報を受信した後、上記表示ウェブページの詳細情報を、夫々上記内容規則データ及び表示規則データとマッチングして、必要するクライアント化規則パラメータを獲得する、ことを特徴とする請求項1に記載の移動通信端末のウェブページ・マッチング方法。
【請求項８】
上記移動通信端末は、移動通信システム中のアクセスゲートウェーを通じて、モバイルポータルサイトのアクセスモジュールと交互し；移動通信端末は、上記アクセス要求情報を送信し、或いは上記モバイルポータルサイトにより上記アクセスモジュールを通じて送信した閲覧ウェブページを受信する、ことを特徴とする請求項1に記載の移動通信端末のウェブページ・マッチング方法。
【請求項９】
上記移動通信端末とアクセスゲートウェー間のキャリアネットワークは、SMS、MMS、USSD、GPRS中の何れの一つ或いは何れの組み合わせである、ことを特徴とする請求項8に記載の移動通信端末のウェブページ・マッチング方法。
【請求項１０】
ウェブページ・マッチングシステムがモバイルポータルサイトに設置されている移動通信端末のウェブページ・マッチングシステムであって、
上記システムには、アクセスモジュール、情報提供モジュール、策略モジュール、内容獲得モジュール、ウェブページ形成モジュールが含まれ、その中で、
上記アクセスモジュールは、移動通信システム中のアクセスゲートウェーと接続されて、移動通信端末のアクセス要求情報を受信し、且つ上記アクセス要求情報を上記情報提供モジュールに転送し、或いは上記アクセスゲートウェーを通じて、上記移動通信端末に上記閲覧ウェブページを送信するためのものであり；
上記情報提供モジュール中には、少なくとも移動通信端末情報ベースが設けられ、当該情報提供モジュールは、上記アクセス要求情報の中からUA PROFILEパラメータを取り出して、表示ウェブページの詳細情報を形成し、且つ当該詳細情報を上記策略モジュールに送信するためのものであり；
上記策略モジュール中には、策略規則が記憶され、当該策略モジュールは、上記表示ウェブページの詳細情報を上記策略規則とマッチングして、上記表示ウェブページのクライアント化規則パラメータを獲得し、且つ当該クライアント化規則パラメータを内容獲得モジュールに送信するためのものであり；
上記内容獲得モジュールは、内容サービスサイトの内容サーバーと接続されて、上記クライアント化規則パラメータ中の内容規則データに従って、上記内容サーバーから上記移動通信端末のウェブページ情報を獲得する；
上記ウェブ形成モジュールは、上記クライアント化規則パラメータ中の表示規則データと上記ウェブページ情報に従って、閲覧ウェブページを形成するためのものである、ことを特徴とする移動通信端末のウェブページ・マッチングシステム。
【請求項１１】
上記情報提供モジュールの中に、更にユーザー情報ベースが設けられ、上記情報提供モジュールは、表示ウェブページの詳細情報を形成する時、アクセス要求情報中のユーザー情報に従って、上記ユーザー情報ベースから上記ユーザー情報と対応するパラメータを取り出し、且つ当該パラメータを上記表示ウェブページの詳細情報の中に加入する、ことを特徴とする請求項10に記載の移動通信端末のウェブページ・マッチングシステム。
【請求項１２】
上記情報提供モジュールには、更にサービス情報ベースが設けられ、上記情報提供モジュールは、ユーザー情報とユーザー設定パラメータに従って、サービス情報ベース中に記憶されているブランド策略情報、マーケティングサービス情報、最初ウェブページ情報、ネットワーク配置情報と更にマッチングして、サービス特徴情報を獲得し、且つ、上記サービス特徴情報を上記表示ウェブページの詳細情報の中に加入する、ことを特徴とする請求項11に記載の移動通信端末のウェブページ・マッチングシステム。
【請求項１３】
上記情報提供モジュールは、移動通信システム中の管理システムと接続され且つ交互して、上記移動通信端末に対してユーザー承認と計費を行う、ことを特徴とする請求項11に記載の移動通信端末のウェブページ・マッチングシステム。
【請求項１４】
上記移動通信端末とアクセスゲートウェー間のキャリアネットワークは、SMS、MMS、USSD、GPRS中の何れの一つ或いは何れの組み合わせである、ことを特徴とする請求項10に記載の移動通信端末のウェブページ・マッチングシステム。
【発明の詳細な説明】
【技術分野】
【０００１】
本発明は、移動通信端末のウェブページ情報を処理する方法及びシステムに関し、特に、モバイルポータルサイトが、移動通信ユーザー及びその移動通信端末の特定情報に従って、上記移動通信ユーザーに、当該移動通信端末に適合するウェブページ・マッチングを提供する方法に関し、移動通信分野に属する。
【背景技術】
【０００２】
モバイルインターネットの絶え間なく発展に従って、移動通信ユーザーは、モバイルインターネットを通じて、必要する情報を獲得することができる。しかしながら、移動通信ユーザーが獲得しようとする情報は、大量のインターネット情報においての極めて小さい一部分にすぎないのである。従って、移動通信ユーザーが最も関心を持っていることは、大量のインターネット情報から、自分が必要する内容をショートカットに取り出すことができる手段である。これは、サービスプロバイダに、知能化サービスを提供して、上記移動通信ユーザーの個性化要求を満足することを要求することになった。
【０００３】
全ての移動通信ユーザーが、ポータルサイトに登録したばかり、獲得した情報の内容は、全部一致し、且つ、大量の情報である。移動通信ユーザーは、その中から必要とする情報を自分でサーチするしかない。これは、ポータルサイトが、ユーザーにクライアント化サービスを提供することができない現象の一つである。
【発明の開示】
【発明が解決しようとする課題】
【０００４】
本発明は、ユーザーが使用している端末に適合すると同時に、その個性化要求を満足することができるように、移動通信ユーザーのアクセスするウェブページを最適化する、移動通信端末のウェブページ・マッチング方法及びシステムを提供することにその目的がある。
【課題を解決するための手段】
【０００５】
本発明の目的は、下記の技術手段により実現する。
移動通信システム中のモバイルポータルサイトに、アクセスモジュール、情報提供モジュール、策略モジュール、内容獲得モジュール、ウェブページ形成モジュールが設置され、その中で、情報提供モジュール中には、少なくとも移動通信端末情報ベースが設けられ、上記移動通信端末が移動通信システム中のアクセスシステムを通じてモバイルポータルサイトにアクセス要求情報を送信する時、下記のステップにより、上記移動通信端末の表示ウェブページに対してマッチングする：
ステップ1：モバイルポータルサイトのアクセスモジュールが上記アクセス要求情報を受信した後、モバイルポータルサイトの情報提供モジュールは、上記アクセス要求情報中のUA PROFILE（User Agent Profile, ユーザー端末エージェントプロファイル）パラメータに従って、表示ウェブページの詳細情報を形成し、且つ当該詳細情報を上記策略モジュールに送信する；
ステップ2：上記策略モジュールは、上記表示ウェブページの詳細情報を、上記策略モジュール中に記憶されている策略規則とマッチングして、上記表示ウェブページのクライアント化規則パラメータを獲得し、且つ当該クライアント化規則パラメータを内容獲得モジュールに送信する；
ステップ3：上記内容獲得モジュールは、クライアント化規則パラメータに従って、内容サービスサイトの内容サーバーと交互し、上記内容サーバーから上記移動通信端末のウェブページ情報を獲得する；
ステップ4：上記ウェブページ形成モジュールは、上記クライアント化規則パラメータと上記ウェブページ情報に従って、閲覧ウェブページを形成する；
ステップ5：アクセスモジュールは、上記閲覧ウェブページを上記移動通信端末に送信する。
【０００６】
本発明に係るシステムは、モバイルポータルサイト中に設置され、アクセスモジュール、情報提供モジュール、策略モジュール、内容獲得モジュール、ウェブ形成モジュールからなり、その中で、
アクセスモジュールは、移動通信端末から送信したアクセス要求情報を受信して、上記アクセス要求情報を上記情報提供モジュールに転送し；或いは上記アクセスゲートウェーを通じて、上記移動通信端末に上記閲覧ウェブページを送信するためのものであり；
情報提供モジュール中には、少なくとも移動通信端末情報ベースが設けられ、当該情報提供モジュールは、上記アクセス要求情報の中からUA PROFILEパラメータを取り出して、表示ウェブページの詳細情報を形成し、且つ当該詳細情報を上記策略モジュールに送信するためのものであり；
策略モジュール中には、策略規則が記憶され、当該策略モジュールは、上記表示ウェブページの詳細情報を上記策略規則とマッチングして、上記表示ウェブページのクライアント化規則パラメータを獲得し、且つ当該クライアント化規則パラメータを内容獲得モジュールに送信するためのものであり；
内容獲得モジュールは、内容サービスサイトの内容サーバーと接続されて、上記内容サーバーから上記移動通信端末のウェブページ情報を獲得する；
ウェブ形成モジュールは、上記クライアント化規則パラメータと上記ウェブページ情報に従って、閲覧ウェブページを形成するためのものである。
【０００７】
本発明は、移動通信端末から送信したアクセス要求情報に対して分析処理し、且つ対応するサービス策略とマッチングして、移動事業者が移動通信ユーザーのアクセスする閲覧ウェブページを便利的に最適化することができ、ユーザーの使用する移動通信端末とマッチングさせると同時に、ユーザーの個性化要求を満足するようにすることができる。
【発明を実施するための最良の形態】
【０００８】
以下、図面及び具体的な実施例を結合して、本発明に対して詳しく説明する。
図1を参照しなさい。本発明は、下記のフローを採用して、移動通信端末からアクセス要求を送信した後で、閲覧ウェブページをマッチングすることを処理し:  移動通信端末から、アクセス要求をアクセスゲートウェーに送信した後、アクセスゲートウェーは、アクセス要求情報をモバイルポータルサイトに転送する。
【０００９】
モバイルポータルサイト中のアクセスモジュールは、アクセス要求情報をモバイルポータルサイトの情報提供モジュールに転送し、情報提供モジュールにより、ユーザーのアクセス要求情報に対して分析処理して、その中から、移動通信端末のUA PROFILEパラメータを取り出し、当該パラメータは上記移動通信端末のパラメータ情報であり、その中には、例えば移動通信端末の解像度、表示サイズ、カラーなどの基本情報である上記移動通信端末の基本パラメータが含んでいる。情報提供モジュールにより、UA PROFILEパラメータを表示ウェブページの詳細情報に整理した後、モバイルポータルサイト中の策略モジュールに送信し、策略モジュールにより、表示ウェブページの詳細情報に従って、上記策略モジュール中に記憶されている策略規則とマッチングし、必要するクライアント化規則パラメータを選び出す。クライアント化規則パラメータは、策略モジュールにより内容獲得モジュールに送信され、内容獲得モジュールは、これによって、内容サービスウェブサイトの内容サーバーにアクセスして、上記内容サーバーから必要するウェブページ情報を獲得する。これらのウェブページ情報は、内容獲得モジュールによりウェブページ形成モジュールに送信され、ウェブページ形成モジュールにより、クライアント化規則パラメータに従って、ウェブページ情報に対して調整を行って、移動通信端末とマッチングする閲覧ウェブページを形成し、アクセスモジュールを経由して、上記移動通信端末に送信する。
【００１０】
ここで説明すべきものは、モバイルポータルサイトに受入れたアクセス要求情報の中に、移動端末情報とユーザー情報等の二種類の情報が含まれ、その中の移動端末情報及びユーザー情報は、移動通信端末で形成されてもいい、上記アクセスゲートウェーにより形成されてもいい。具体的な形成方法は、下記の通りである。
【００１１】
移動通信端末から送信するアクセス要求情報の中に、UAPROFILEパラメータと移動通信端末の番号が連れている。
【００１２】
アクセスゲートウェーは、ワイヤレスアプリケーションプロトコル（Wireless Application Protocol、携帯電話でインターネットをアクセスする用のプロトコルで、WAPプロトコルと簡略する）に従って、上記アクセス要求情報の中から移動通信端末の情報と番号を獲得する。
【００１３】
なお、移動通信端末とアクセスゲートウェー間のキャリア方式は、SMS (Short Message Service、ショートメッセージ)、MMS (Multimedia Message Service、マルチメディアメッセージ)、USSD（Unstructured Supplementary Service Data、非構造化付加サービスデータ）、GPRS（General Packet Radio Service、汎用パケット無線サービス）でもよい。
【００１４】
情報提供モジュールによりユーザーのアクセス要求情報に対して分析処理する時、当該情報提供モジュールは、上記ユーザー情報に従って、移動通信システム中の管理システムと交互して、移動通信端末に対して、ユーザー承認と計費を行う。
【００１５】
ある時、移動通信端末で表示される内容は、ユーザー自分によって指定する。移動通信端末からアクセス要求情報を送信する時、ユーザーにより指定されて表示されようとする内容は、ユーザーがパラメータを設定してモバイルポータルサイトに転送することができ、情報提供モジュールがアクセス要求情報を分析する時、アクセス要求情報の中にユーザー設定パラメータが含まれていることが見つかれた場合、情報提供モジュールは、ユーザー設定パラメータを上記表示ウェブページの詳細情報の中に添加する。
【００１６】
上記情報提供モジュールの中にも、ユーザー情報ベースが設定され、情報提供モジュールが表示ウェブページの詳細情報を形成する時、アクセス要求情報の中に、ユーザー情報が含まれると、情報提供モジュールは、ユーザー情報ベースから上記ユーザー情報と対応するパラメータ（これらのパラメータには、基本型パラメータと分析型パラメータが含まれ、基本型パラメータには、ユーザータイプ、性別、年齢、職業、所属地域、趣味等が含まれ、分析型パラメータには、ユーザー消費特徴、ユーザー消費形勢等が含まれる）を取り出して、当該パラメータを上記表示ウェブページの詳細情報の中に加入する。
【００１７】
豊富なサービス製品を提供するために、移動通信事業者は、情報提供モジュールの中にサービス情報ベースを設定することができ、当該サービス情報ベースの中に、ブランド策略情報、マーケティングサービス情報、最初ウェブページ情報、ネットワーク配置情報等の内容を記憶し、情報提供モジュールは、ユーザー情報及びユーザーが設定したパラメータに従って、更にサービス情報ベース中に記憶されているブランド策略情報、マーケティングサービス情報、最初ウェブページ情報、ネットワーク配置情報とマッチングして、特定のサービス特徴情報を獲得し、且つこれらの特定のサービス特徴情報を上記表示ウェブページの詳細情報の中に加入する。例えば、ユーザー情報中のユーザー消費パラメータに対して、当該ユーザーの消費レベルパラメータ、ブランドパラメータ等とマッチングする情報を、サービス特徴情報として、記表示ウェブページの詳細情報の中に加入する。
【００１８】
策略モジュール中の策略規則には、内容規則データと表示規則データが含まれ、内容規則データは、内容獲得モジュールに内容サービスサイトの内容サーバーから指定した表示内容を獲得するように指示するためのものであり、表示規則データは、ウェブ形成モジュールに、指定されたフォーマットの閲覧ウェブページを形成するように指示するためのものである。策略モジュールの任務は、情報提供モジュールから送信した表示ウェブページの詳細情報を受信した後、表示ウェブページの詳細情報を上記内容規則データ及び表示規則データと夫々マッチングして、必要するクライアント化パラメータを獲得することである。これらのクライアント化規則パラメータの中に、上記内容規則データと表示規則データが含まれている。
【００１９】
策略モジュールは、ユーザーが設定した情報とその自身に記憶されている策略規則データに同時に従って、内容規則と表示規則を形成することができる。
【００２０】
上記フローに従って、アクセス要求情報の中にユーザーが設定したパラメータが含まれる時、当該ユーザー設定パラメータは、情報提供モジュールにより表示ウェブページの詳細情報の中に加入され、策略モジュールは、完全にユーザーの設定に従って、クライアント化規則パラメータ中のコンテント規則と表示規則を形成する。
【００２１】
アクセス要求情報の中に、ユーザー設定パラメータが無い場合、情報提供モジュールは、ユーザーのアクセス要求情報の中からユーザー識別と端末識別を獲得し、情報提供モジュール中の各データベースの中から対応するユーザー情報、移動通信端末情報をサーチし、サーチされたユーザー情報、移動通信端末情報及び他の情報（例えば、サービス特徴情報等）を表示ウェブページの詳細情報の中に加入して、策略モジュールに送信し、策略モジュールは、情報提供モジュールから送信した情報に基づいて、その中の事前に設定した策略規則に従って、内容規則と表示規則を形成する。
【００２２】
内容獲得モジュールにより獲得された内容データは、ローカルの内容サーバーからのものでもよい、事業者と合作する内容プロバイダの情報サーバーからのものでもよい。
【００２３】
図2、図3を参照しなさい。本発明は、上記フローを実現するシステムも提供した。当該システムは、アクセスモジュール、情報提供モジュール、策略モジュール、内容獲得モジュール、ウェブページ形成モジュールからなる。
【００２４】
アクセスモジュールは、移動通信端末から送信したアクセス要求情報を受信し、且つ上記アクセス要求情報を上記情報提供モジュールに転送し；或いは、上記アクセスゲートウェーを通じて膳記移動通信端末に上記閲覧ウェブページを送信するためのものである。
【００２５】
情報提供モジュールには、少なくとも移動通信端末情報ベースを設けられ、当該情報提供モジュールは、上記アクセス要求情報の中からUA PROFILEパラメータを取り出して、表示ウェブページの詳細情報を形成して、当該情報を上記策略モジュールに送信するためのものである。
【００２６】
策略モジュールの中に策略規則が記憶され、当該策略モジュールは、上記表示ウェブページの詳細情報を上記策略規則とマッチングして、上記表示ウェブページのクライアント化規則パラメータを獲得し、且つ当該クライアント化規則パラメータを内容獲得モジュールに送信するためのものである。
【００２７】
内容獲得モジュールは、内容サービスサイトの内容サーバーと接続されて、上記内容サーバーから上記移動通信端末のウェブページ情報を獲得する。
【００２８】
ウェブページ形成モジュールは、上記クライアント化規則パラメータと上記ウェブ情報に従って、閲覧ウェブページを形成するためのものである。
【００２９】
情報提供モジュールの中に、ユーザー情報ベースを設けられ、情報提供モジュールは、表示ウェブページの詳細情報を形成する時、アクセス要求情報中のユーザー情報に従って、ユーザー情報ベースからユーザー情報と対応するパラメータを取り出し、且つ当該パラメータを表示ウェブページの詳細情報の中に加入する。
【００３０】
情報提供モジュールには、サービス情報ベースが設けられ、情報提供モジュールは、ユーザー情報とユーザー設定パラメータに従って、サービス情報ベース中に記憶されているブラント策略情報、マーケティングサービス情報、最初ウェブページ情報、ネットワーク配置情報と更にマッチングして、サービス特徴情報を獲得し、且つサービス特徴情報を表示ウェブの詳細情報の中に加入する。
【００３１】
情報提供モジュールは、移動通信システム中の管理システムと接続されて交互し、上記移動通信端末に対してユーザー承認と計費を行う。
【００３２】
上記に述べた全ての移動通信端末とアクセスゲートウェー間のキャリアネットワークは、SMS、MMS、USSD、GPRS中の何れの一つ或いは何れの組み合わせてもよい。本発明は、これに対して特別に限定する意味はない。
【００３３】
最後に説明すべきものは、上記実施例は本発明に係る技術を説明するだけのものであり、本発明に係る技術案を限定するものではない。上記具体的な実施形態を挙げて、本発明に対して説明したが、当業者であれば、本発明の技術形態に対して各種態様の修正或いは交替を行うことができ、本発明の技術形態の精神及び範囲を離脱しない技術及びその改良は、本発明の技術的範囲に属することは明白である。
【図面の簡単な説明】
【００３４】
【図１】本発明に係るフローチャートである。
【図２】本発明に係るシステムの構造を示す図面である。
【図３】移動通信ネットワークにおいての本発明に係るシステムの位置及びその外部接続関係を示す図面である。
【図１】
2008532110.tif 000003
【図２】
2008532110.tif 000004
【図３】
2008532110.tif 000005
【国際調査報告】
2008532110.tif 000006
2008532110.tif 000007
2008532110.tif 000008
2008532110.tif 000009
2008532110.tif 000010
2008532110.tif 000011